(57)【要約】【課題】野菜ケースを開閉扉側に大きくしても、野菜ケースの直上に配置される棚は大きくする必要がなく、野菜ケースの直上に配置される棚と冷蔵室の他の棚との間で共通化が図れる冷蔵庫を提供する。【解決手段】冷蔵室５内に野菜ケース９を設置し、野菜ケース９の上面開口部を野菜ケース９の上部に配置された直上棚１０で覆い、冷蔵室５の温度帯と異なる温度帯の空間部を確保してなる冷蔵庫において、野菜ケース９は、上方から見た投影面内で載置棚よりも大きく、前方に張り出す張出部を有し、野菜ケース９の前側上縁部には、張出部となる上面前側の開口部の少なくとも一部を覆うリブ９ａを設けたものである。【選択図】図１
2015203524.tif 000002
【特許請求の範囲】
【請求項１】
冷蔵室内に野菜ケースを設置し、該野菜ケースの上面開口部を該野菜ケースの上部に配置された載置棚で覆い、前記冷蔵室の温度帯と異なる温度帯の空間部を確保してなる冷蔵庫において、
前記野菜ケースは、上方から見た投影面内で前記載置棚よりも大きく、前方に張り出す張出部を有し、前記野菜ケースの前側上縁部には、前記張出部となる上面前側の開口部の少なくとも一部を覆うリブを設けたことを特徴とする冷蔵庫。
【請求項２】
前記野菜ケースは、ケース体と、このケース体の前面外周部に取り付けたカバーとで成り、
前記カバーには、前記張出部となる上面前側の開口部を覆う前記リブが設けられており、該カバーのリブと、前記載置棚とで、前記野菜ケースの上面開口部が覆われてなることを特徴とする請求項１記載の冷蔵庫。
【発明の詳細な説明】
【技術分野】
【０００１】
本発明は、冷蔵室内に設置された野菜ケースと、野菜ケースの上部を覆う棚とを備えた冷蔵庫に関する。
【背景技術】
【０００２】
従来、冷蔵室内に野菜ケースを設置し、野菜ケースの上面開口部の全面を野菜ケース上部に配置された棚で密閉し、冷蔵室の温度帯と異なる温度帯の空間部を確保して、野菜室の冷え過ぎを防ぐようにしたものがある（例えば、特許文献１参照）。
【先行技術文献】
【特許文献】
【０００３】
【特許文献１】実開昭６１−０１３２９１号公報（第１図）
【発明の概要】
【発明が解決しようとする課題】
【０００４】
しかしながら、野菜ケースの上面開口部の全面を、野菜ケース上部に配置した棚で密閉するようにしたものにあっては、野菜ケースの前面の開閉扉側にあるポケットを無くしてスペースを設け、開閉扉側に野菜ケースを大きくした場合、野菜ケースの上部に配置される棚も大きくせざるを得ず、冷蔵室内の他の棚との間で共通化が図れない。
【０００５】
また、野菜ケースの直上に配置される棚の前面の開閉扉側にも、通常、野菜ケースの直上に配置される棚よりも高い位置にポケットが配置されている。そのため、開閉扉側に野菜ケースを大きくし、それに合わせて野菜ケースの直上に配置される棚をポケットの直下まで延出できても、ポケットが邪魔になって野菜ケースの直上に配置される棚の前側には食品が置けない。そのため、野菜ケースの直上に配置される棚の前側には、食品設置不可の表示が必要になるという課題があった。
【０００６】
本発明は、前記のような課題の少なくとも１つを解決するためになされたもので、野菜ケースを開閉扉側に大きくしても、野菜ケースの直上に配置される棚は大きくする必要がなく、野菜ケースの直上に配置される棚と冷蔵室の他の棚との間で共通化が図れる冷蔵庫を提供することを主目的としている。
【課題を解決するための手段】
【０００７】
本発明に係る冷蔵庫は、冷蔵室内に野菜ケースを設置し、野菜ケースの上面開口部を野菜ケースの上部に配置された載置棚で覆い、冷蔵室の温度帯と異なる温度帯の空間部を確保してなる冷蔵庫において、野菜ケースは、上方から見た投影面内で載置棚よりも大きく、前方に張り出す張出部を有し、野菜ケースの前側上縁部には、張出部となる上面前側の開口部の少なくとも一部を覆うリブを設けたものである。
【発明の効果】
【０００８】
本発明の冷蔵庫において、野菜ケースは、上方から見た投影面内で載置棚よりも大きく、前方に張り出す張出部を有し、野菜ケースの前側上縁部には、張出部となる上面前側の開口部の少なくとも一部を覆うリブを設けているので、野菜ケースを開閉扉側に大きくしても、張出部となる上面前側の開口部は少なくとも一部をリブにて覆うことができる。そのため、冷蔵室の温度帯と異なる温度帯の空間部を確保することが容易となり、野菜ケースの直上に配置される棚は大きくする必要がなく、野菜ケースの直上に配置される棚と冷蔵室の他の棚との間で共通化が図れる。
【図面の簡単な説明】
【０００９】
【図１】本発明の実施形態１に係る冷蔵庫の野菜ケース収納部を側方より示す縦断面図である。
【図２】図１のＡ部を拡大して示す要部詳細図である。
【図３】本発明の実施形態１に係る冷蔵庫の冷蔵室の正面視の断面図である。
【図４】本発明の実施形態１に係る冷蔵庫の野菜ケースを前方より示す斜視図である。
【図５】本発明の実施形態２に係る冷蔵庫の図２相当の要部詳細図である。
【図６】本発明の実施形態２に係る冷蔵庫の野菜ケースのケース体とカバーとの関係を示す分解斜視図である。
【発明を実施するための形態】
【００１０】
実施形態１．
以下、図示実施形態により本発明を説明する。
図１は本発明の実施形態１に係る冷蔵庫の野菜ケース収納部を側方より示す縦断面図である。図２は図１のＡ部を拡大して示す要部詳細図である。図３は本発明の実施形態１に係る冷蔵庫の冷蔵室の正面視の断面図である。図４は本発明の実施形態１に係る冷蔵庫の野菜ケースを前方より示す斜視図である。
本発明の実施形態１に係る冷蔵庫は、図１に示されているように、本体ケース１が、鋼板製の外箱２と、樹脂製の内箱３と、外箱２と内箱３との間に充填された断熱材４とを備え、一面（前面）が開口した開口部を有する箱状に形成されている。断熱材４は、例えば発泡ウレタンや真空断熱パネルから構成される。前面の開口部には本体ケース１とほぼ同じ構造の開閉扉６が設けられている。
【００１１】
本体ケース１の内箱３内は、中仕切り（図示せず）によって上下に区画され、中仕切りと頂面との間に冷凍室が、また中仕切りと底面との間に冷蔵室５が形成されている。また、冷蔵室５の最下部（底部）には、野菜ケース９が引き出し自在に設置されている。
【００１２】
野菜ケース９の前面の開閉扉６には、ポケットが設けられておらず、その分、空きスペースが確保され、野菜ケース９が開閉扉側に大きく形成されている。
【００１３】
また、冷蔵室５の両側壁には、図３及び図４に示されているように、野菜ケース支持台８ａが対向させて突設されている。そして、野菜ケース支持台８ａには、野菜ケース９の両側上部に設けたガイド９ｃが載置され支持されるようになっている。
【００１４】
また、冷蔵室５の両側壁には、それぞれ前後方向に延びる棚支持台８が対向させて突設され、上下に複数段配置されている。そして、これら棚支持台８には、共通化された載置棚７が着脱自在に載置されている。なお、ここでは野菜ケース９の直上に配置される載置棚を以後「直上棚１０」と呼び他の載置棚７と区別する。直上棚１０は、棚支持台８と共に野菜ケース９の上面前側の開口部を覆う棚である。
【００１５】
野菜ケース９は、開閉扉側に大きく形成された分、上方から見た投影面内で直上棚１０や載置棚７よりも前方に張り出して形成されている。そして、その張り出し分、野菜ケース９は、上面開口部が直上棚１０や載置棚７よりも大きくなっていて、これら共通化された直上棚１０や載置棚７では前方張り出し部を覆うことができない。
【００１６】
そこで、本発明の実施形態１に係る冷蔵庫では、図２に示されているように、野菜ケース９の前側上縁部に、上面前側の開口部の少なくとも一部（ここでは上面前側の開口部の全面）を覆い、後方に張り出す、例えば内向きフランジ状に形成されたリブ９ａを備えている。なお、リブ９ａの上面と直上棚１０との上面とは、ほぼ同等の高さとなるように設定されているが、これらが面一となるように設定してもよい。いずれにせよ、リブ９ａの上面と直上棚１０との上面との高さを合わせることで、野菜ケース９の上面前側の開口部の密閉性、意匠性の確保が容易となる。
また、野菜ケース９の上面前側には、野菜ケース９を冷蔵庫外側へ引き出すために使用する上面から下方向に延びるＬ形の把手９ｂが設けられている。また、開閉扉６の庫内側における野菜ケース９よりも高位置にポケット支持台１３が設けられ、ポケット支持台１３にポケット１１が保持されている。ポケット１１は、食品等を保持するものである。
【００１７】
このように、本発明の実施形態１に係る冷蔵庫は、冷蔵室５内に、上方から見た投影面内で載置棚７よりも大きく、前方に張り出す野菜ケース９を設け、野菜ケース９の前側上縁部には、前方に張り出す上面前側の開口部を覆う内向きフランジ状に形成されたリブ９ａを設けた。このため、野菜ケース９を開閉扉６側に大きくしても、直上棚１０は大きくする必要がなく、直上棚１０と冷蔵室の他の棚との間で共通化が図れる。すなわち、野菜ケース９の容量を大きくしつつ、直上棚１０と冷蔵室の他の棚との共通化が図れる。
【００１８】
また、野菜ケース９の上部の直上棚１０を、開閉扉６側に大きくする必要がないので、直上棚１０の前面の開閉扉６側に設置されるポケット１１と直上棚１０とが上下で重なることがない。そのため、直上棚１０の前側に食品を置くことができ、食品設置不可の表示が不要になる。
【００１９】
実施形態２．
図５は本発明の実施形態２に係る冷蔵庫の図２相当の要部詳細図である。図６は本発明の実施形態２に係る冷蔵庫の野菜ケースのケース体とカバーとの関係を示す分解斜視図である。なお、各図中、前述の実施形態１と同一部分には同一符号を付してある。
前述の実施形態１では、野菜ケース９を１部品で構成したものを例に挙げて示したが、本発明の実施形態２に係る冷蔵庫は、図５及び図６に示されているように、野菜ケース９Ａがケース体９０と、このケース体９０の前面外周部に取り付けたカバー１２との２部品で構成されている。そして、カバー１２には、張出部となる上面前側の開口部の少なくとも一部（ここでは上面前側の開口部の全面）を覆うリブ１２ａが設けられており、カバー１２のリブ１２ａと、直上棚１０とで、野菜ケース９Ａの上面開口部が覆われるようになっている。なお、リブ１２ａの上面と直上棚１０との上面とは、ここでもほぼ同等の高さとなるように設定されているが、これらが面一となるように設定してもよい。いずれにせよ、リブ１２ａの上面と直上棚１０との上面との高さを合わせることで、野菜ケース９Ａの上面前側の開口部の密閉性、意匠性の確保が容易となる。
【００２０】
また、カバー１２の上面前側には、野菜ケース９を冷蔵庫外側へ引き出すために使用する上面から下方向に延びるＬ形の把手１２ｂが設けられている。
【００２１】
また、カバー１２のリブ１２ａの裏面には、カバー１２をケース体９０に取り付けるための爪１２ｃが設けられている。
【００２２】
本発明の実施形態２に係る冷蔵庫によっても、野菜ケース９Ａを開閉扉６側に大きくしても、直上棚１０は大きくする必要がなく、直上棚１０と冷蔵室の他の棚との間で共通化が図れる。すなわち、野菜ケース９の容量を大きくしつつ、直上棚１０と冷蔵室の他の棚との共通化が図れる。
【００２３】
また、野菜ケース９の上部の直上棚１０を、開閉扉６側に大きくする必要がないので、直上棚１０の前面の開閉扉６側に設置されるポケット１１と直上棚１０とが上下で重なることがない。そのため、直上棚１０の前側に食品を置くことができ、食品設置不可の表示が不要になる。
【００２４】
また、カバー１２により、野菜ケース９Ａの前面部に湿度調整機構を取り付けたり、見栄えを良くすることが容易となる。
【００２５】
なお、前述の実施形態１，２では、リブ９ａまたは１２ａによって野菜ケース９または９Ａの上面前側の開口部の全面を覆っているものを例に挙げて説明したが、リブ９ａまたは１２ａによって必ずしも上面前側の開口部の全面を覆う必要はなく、上面前側の開口部の一部を覆うようにしてもよい。その場合にも、冷蔵室の温度帯と異なる温度帯の空間部を確保することはできる。
【００２６】
前記の説明では、内箱３内が中仕切りによって上側が冷凍室、下側が冷蔵室に画成されているタイプの冷凍冷蔵庫に本発明を実施したものを例に挙げて説明したが、これに限定されるものでなく、例えば中仕切りによって上側が冷蔵室、下側が冷凍室に画成されているタイプの冷凍冷蔵庫にも本発明を適用できる。
【符号の説明】
【００２７】
１  本体ケース、２  外箱、３  内箱、４  断熱材、５  冷蔵室、６  開閉扉、７  載置棚、８  棚支持台、８ａ  野菜ケース支持台、９，９Ａ  野菜ケース、９ａ  リブ、９ｂ  把手、９ｃ  ガイド、１０  直上棚、１１  ポケット、１２  カバー、１２ａ  リブ、１２ｂ  把手、１２ｃ  爪、１３  ポケット支持台、９０  ケース体。
【図１】
2015203524.tif 000003
【図２】
2015203524.tif 000004
【図３】
2015203524.tif 000005
【図４】
2015203524.tif 000006
【図５】
2015203524.tif 000007
【図６】
2015203524.tif 000008